(57)【要約】【課題】雨の夜の行動に好適な傘を提供する。【解決手段】本考案は、傘の心棒の１端に電池内蔵ランプを固定又は取り外し可能に装着し、前記電池内蔵ランプに隣接して、あるいは、正多角形の前記傘のシートの中心から１／２半径で描かれる同心円内部に光反射材を取り付けたことを特徴とする。  前記電池内蔵ランプは、電池を内蔵しており前記ランプに捩りを与えることで点滅可能であり、前記傘の心棒の１端に嵌め込みまたはねじ込みにより取り付けおよび取り外しが可能である。また、前記光反射材は、再帰性反射材であることを特徴とする。【選択図】図１
0003152367.tif 000002
【実用新案登録請求の範囲】
【請求項１】
傘の心棒の１端に電池内蔵ランプを固定又は取り外し可能に装着し、前記電池内蔵ランプに隣接して光反射材を取り付けたことを特徴とするランプ・反射材付き傘。
【請求項２】
傘の心棒の１端に電池内蔵ランプを固定又は取り外し可能に装着し、正多角形の前記傘のシートの中心から前記正多角形に外接する円の１／２半径で描かれる同心円内部に光反射材を取り付けたことを特徴とするランプ・反射材付き傘。
【請求項３】
傘の心棒の１端に電池内蔵ランプを固定又は取り外し可能に装着し、正多角形の前記傘のシートを支持する親骨に囲まれた三角形のシート上に１つおきに光反射材を取り付けたことを特徴とするランプ・反射材付き傘。
【請求項４】
前記電池内蔵ランプは、電池を内蔵しており前記ランプに捩りを与えることで点滅可能であることを特徴とする請求項１記載のランプ・反射材付き傘。
【請求項５】
前記光反射材は、再帰性反射材であることを特徴とする請求項１記載のランプ・反射材付き傘。
【請求項６】
前記電池内蔵ランプは、前記傘の心棒の１端に嵌め込みまたはねじ込みにより取り付けおよび取り外しが可能であることを特徴とする請求項１記載のランプ・反射材付き傘。
【考案の詳細な説明】
【技術分野】
【０００１】
本考案は、ランプ・反射材付き傘に係り、より詳しくは、雨の日に傘をさして夜間歩行する際に自ら発光またはヘッドライトなどの光を反射して傘使用者の存在を他に認識させることにより安全確保を可能とするランプ・反射材付き傘に関する。
【背景技術】
【０００２】
ランプを取り付けた傘に関する発明、考案としては、実開平５−５８０１７号公報に、取っ手内部に乾電池を収納し、中空軸の先端に電球を螺合させ、スイッチにより電球が点滅するようにすると共に、電球を着脱可能した点滅ランプを備えた傘の考案が開示されており、実開平６−８４９１１号公報には、雨傘の頂部に点滅光源及び、柄の内部に電池とスイッチを、組み込んだ頂部点滅式雨傘の考案が開示され、特開２００１−１０４０２６号公報には、傘の柄の内部に、蓄電池、電球、およびスイッチを、また先端部の内部にも電球を組込み、柄と先端部に透明材料を使用する発明が開示されている。
【０００３】
しかし、上記何れの発明でも、傘の柄の部分にスイッチ、電池を収納し、傘の心棒の中空部に導線を通して傘の頂部のランプに電源を供給する方式が採られており、非常に複雑な構造となっている。
また、頂部のランプ直下、または、傘の防雨部の上半部に反射材を取り付けたものはない。
【０００４】
実開平３−４２２１０号公報には、雨傘の布製あるいはピニール製の防雨部の外面又は金属製の先端部に照明により反射する反射塗料あるいは蓄光塗料を塗布するか、これらを塗布したテープを接着させた照明により反射する雨傘の考案が開示されている。
しかし、本考案にはランプは装着されていない。
ランプだけが装着されている傘では、ランプ、電池が切れると通常の雨傘と同じ状態となり、傘使用者の存在を他に認識させる特徴が失われる。
反射材だけが取り付けられている傘では、光がないところでは傘使用者の存在を他に認識させることができない。
また、反射材が傘シートの外周面のみに取り付けられている場合は、傘を差している人が多く、傘が重なっている場合は認識しにくい問題がある。
【先行技術文献】
【特許文献】
【０００５】
【特許文献１】実開平５−５８０１７号公報
【特許文献２】実開平６−８４９１１号公報
【特許文献３】特開２００１−１０４０２６号公報
【特許文献４】実開平３−４２２１０号公報
【考案の概要】
【考案が解決しようとする課題】
【０００６】
本考案の目的は、雨の夜の行動に好適な傘を提供することである。
【課題を解決するための手段】
【０００７】
本考案は、傘の心棒の１端に電池内蔵ランプを固定又は取り外し可能に装着し、前記電池内蔵ランプに隣接して光反射材を取り付けたことを特徴とする。
【０００８】
また、本考案は、傘の心棒の１端に電池内蔵ランプを固定又は取り外し可能に装着し、正多角形の前記傘のシートの中心から前記正多角形に外接する円の１／２半径で描かれる同心円の内部に光反射材を取り付けたことを特徴とする。
【０００９】
また、本考案は、傘の心棒の１端に電池内蔵ランプを固定又は取り外し可能に装着し、正多角形の前記傘のシートを支持する親骨に囲まれた三角形のシート上に１つおきに光反射材を取り付けたことを特徴とする。
【００１０】
前記電池内蔵ランプは、電池を内蔵しており前記ランプに捩りを与えることで点滅可能であり、前記光反射材は、再帰性反射材であり、前記電池内蔵ランプは、前記傘の心棒の１端に嵌め込みまたはねじ込みにより取り付けおよび取り外しが可能であることを特徴とする。
【考案の効果】
【００１１】
本考案のランプ・反射材付き傘を使用すれば、雨の日の夜間でも傘使用者の存在を周囲に認識させることが出来、傘使用者の安全確保が可能となる。
【図面の簡単な説明】
【００１２】
【図１】本考案の実施例１を示す概略図であり、ランプが傘の頂部に装着され、その直下に反射材が取り付けられている。
【図２】本考案の実施例２を示す概略図であり、正多角形の傘のシートの中心から正多角形に外接する円の１／２半径で描かれる同心円の内部に光反射材が取り付けられている。
【図３】本考案に使用されている電池内蔵のランプの概略図である。
【図４】本考案の実施例３を示す概略図であり、ランプが傘の頂部に装着され、前記傘のシートを構成する三角形に１つおきに反射材が取り付けられている。
【図５】本考案の実施例４を示す概略図であり、ランプが傘の頂部に装着され、正多角形の前記傘のシートの中心から前記正多角形に外接する円の１／２半径で描かれる同心円の内部で傘のシートを構成する三角形に１つおきに反射材が取り付けられている。
【考案を実施するための形態】
【００１３】
本考案によるランプ・反射材付き傘１の実施例１は、図１に示す通り、傘の心棒２が傘のシート３から突き出た心棒２の頂部に電池内蔵ランプ４を取り外し可能に装着し、傘の心棒２の頂部に電池内蔵ランプ４に隣接して光反射材５を取り付けたものである。
本考案によるランプ・反射材付き傘１の実施例２は、図２に示す通り、傘の心棒２が傘のシート３から突き出た心棒２の頂部に電池内蔵ランプ４を取り外し可能に装着し、正多角形の傘のシートの中心から正多角形に外接する円の１／２半径で描かれる同心円の内部に光反射材を取り付けたものである。
【００１４】
本考案によるランプ・反射材付き傘１の実施例３は、図４に示す通り、電池内蔵ランプ４をランプ・反射材付き傘１の頂部に装着し、ランプ・反射材付き傘１の透明なシートが親骨１３により構成する三角形１２に１つおきに反射材が取り付けられている。
本考案によるランプ・反射材付き傘１の実施例４は、図５に示す通り、電池内蔵ランプ４を傘の頂部に装着し、正多角形の傘の透明なシートの中心から正多角形に外接する円の１／２半径で描かれる同心円内部で傘のシートを構成する三角形１２に１つおきに反射材を取り付けたものである。
実施例３，４のようにランプ・反射材付き傘１の透明なシートを構成する三角形１２に１つおきに反射材を取り付けたのは、風に向かって傘のシートを進行方向に差すような場合反射材のない部分から前方の状況が分かるようにするためである。
【００１５】
図３に示す通り、電池内蔵ランプ４は、LEDランプ７と電池８を収納する上部ケース９と、電池８を付勢するばね１１と電極（図示なし）を収納する下部ケース１０からなっている。
この電池内蔵ランプ４は、上部ケース９を下部ケース１０に対して捩ることにより点滅できるようになっており、電池内蔵ランプ４には点滅用の単体のスイッチは設けられていない。
本考案に使用する電池内蔵ランプ４の点滅方法は上記に限られるものではなく、電池内蔵ランプ４自体にスイッチを設ける方式や、電池内蔵ランプ４と傘の心棒２との嵌合の度合いによる方式など、電池内蔵ランプ４と別に設けられたスイッチを導線で繋ぐ方式以外であればどのような方式であっても良い。
また、電池内蔵ランプ４は、傘の心棒２の１端に固定しても良いが、ねじ込み式あるいは嵌合方式による取り付け取り外し可能な方式としても良い。
【００１６】
本考案のランプ・反射材付き傘１に使用する光反射材５は、再帰性反射材であり、実施例１のように傘の心棒２の先端部において電池内蔵ランプ４に隣接して取り付けられるか、実施例２のように正多角形の傘のシート３の中心から１／２半径で描かれる同心円内部６、あるいは、実施例３，４のようにランプ・反射材付き傘１の透明なシートを構成する三角形１２に１つおきに取り付けられる。
本考案に使用する光反射性の布帛は、入射光を光源の方向にまっすぐ戻す「再帰性反射」特性を有するものである。
再帰性反射材には，ガラスビーズ型とノンビーズ型があるが，良好な再帰性反射性能を有するガラスビーズ型が主流となっており、ガラスビーズ型には，ガラスビーズが樹脂層に埋没したクローズドタイプとガラスビーズの約半分が空気中に露出したオープンタイプとがある。
【００１７】
再帰性反射材には，貼りつけて使用する再帰性反射シートと，裏面に繊維布帛をバッキングして使用する再帰性反射布帛があり、本考案では傘の心棒の先端部に巻き付け、シート部に貼り付ける。
再帰性反射材の代表的なものに住友スリーエム社製やユニチカ製がある。
【００１８】
本考案のランプ・反射材付き傘１は、雨の降る夜の歩行に非常に有効である。
夜間の歩行に当たっては、先ず、電池内蔵ランプ４の上部ケース９を捩ってＬＥＤランプ７を点灯させる。傘の頂部のＬＥＤランプ７を点灯することにより、遠くの車両からも認識が可能となる。さらに、傘を差した状態で心棒２の頂部又は傘シート３の上部の同心円内部６に貼り付けられた再帰性反射シートで反射が起こるため、ＬＥＤランプ７と合わせ遠くの車両からの認識度が向上して歩行者の安全がより確実に確保できるようになる。
【符号の説明】
【００１９】
１  ランプ・反射材付き傘
２  心棒
３  シート
４  電池内蔵ランプ
５  光反射材
６  同心円内部
７  ＬＥＤランプ
８  電池
９  上部ケース
１０  下部ケース
１１  ばね
１２  三角形
１３  親骨
【図１】
0003152367.tif 000003
【図２】
0003152367.tif 000004
【図３】
0003152367.tif 000005
【図４】
0003152367.tif 000006
【図５】
0003152367.tif 000007